(57)【特許請求の範囲】
【請求項１】
水道から供給された水を貯留する水リザーバと、この水リザーバにパイプを介して連繋されて水リザーバから水が供給されるオーガ式製氷機および前記水リザーバから水ポンプを介して水が供給される貯湯タンクを備え、前記貯湯タンクから給湯バルブを介して供給される温水或いは水リザーバから水ポンプを介して供給される水により飲料を調整して販売に供するカップ式自動販売機であって、水リザーバに貯留された水を水ポンプにより循環させる循環水回路を設け、当該循環水回路に紫外線照射手段を配設したカップ式自動販売機において、前記紫外線照射手段は、循環水回路に接続される入口管と出口管を有する中空箱形の透明な合成樹脂からなる透明容器と、透明容器の外部に設置されて透明容器の内部を流れる水と絶縁された態様で配設され、紫外線ＬＥＤが実装されたプリント基板と、透明容器の入口管と出口管とが外部に露出する態様で透明容器およびプリント基板を内蔵し、かつ、紫外線ＬＥＤからの紫外線の漏れを防止する収納ボックスからなる紫外線照射装置であることを特徴とするカップ式自動販売機。
【発明の詳細な説明】
【技術分野】
【０００１】
この発明は、水道から供給された水を貯留する水リザーバを備えたカップ式自動販売機に関するものである。
【背景技術】
【０００２】
この種のコールド飲料，ホット飲料を販売するカップ内ミキシング方式のカップ式自動販売機は、自動販売機本体内に水道から供給された水を貯留する水リザーバを備え、この水リザーバとパイプを介して連繋されて水リザーバから水が供給されるオーガ式製氷機，前記水リザーバから水ポンプを介して水が供給される貯湯タンクなどが設けられており、コールド飲料を販売する際には水リザーバから水ポンプを介してカップ内に直接吐出するとともにオーガ式製氷機に貯留された氷片をカップ内に供給するように構成され、ホット飲料を販売する際には貯湯タンクにより所望の温度に加熱した温水をカップ内若しくはコーヒーブリュアに吐出するように構成されている。前記水リザーバに貯留された水は、時間経過とともに残留塩素（殺菌効果）が減少して細菌が増殖する環境、特に飲料販売の間隔が長くなった場合には水リザーバ内の水が流動することなく静水となって水リザーバ内に滞留するので雑菌が繁殖する環境となることから定期的に排水する（入れ替える）必要がある。このため、水リザーバに貯留された水の排水手段として水リザーバとオーガ式製氷機とを連繋するパイプに電磁バルブを設け、水リザーバに貯留された水の入れ替えを自動で行うことが行われている。ところで、水リザーバに貯留された水の入れ替えを自動で行う場合に水リザーバ内に貯留された水は自動販売機本体内に設置された排水容器（バケツ）に排水される。この自動販売機本体内に設置される排水容器の容量は限られており、また、排水容器のメンテナンスはルートマンによって行われる。したがって、水リザーバに貯留された水の入れ替えを頻繁に行う場合には、ルートマンの巡回を増やす（巡回期間を早める）必要がある。しかしながら、排水容器のメンテナンス作業のためにのみルートマンの巡回回数を増加するとルートマンの労力が増大してランニングコストが嵩むという問題がある。そのため、水リザーバに貯留された水の入れ替えを行なうことなく雑菌の増殖を防止する方策として、水リザーバ内に紫外線を発する殺菌灯を挿入し、紫外線照射により殺菌を行うものが知られている（例えば、特許文献１）。
【先行技術文献】
【特許文献】
【０００３】
【特許文献１】特許第３２５０４３２号公報
【発明の概要】
【発明が解決しようとする課題】
【０００４】
前述した特許文献１に開示された発明においては、水リザーバに貯留された水を殺菌灯からの紫外線の照射により殺菌して雑菌の増殖を防止できる点で優れている。しかしながら、特許文献１に開示された発明においては水リザーバに貯留された水の中に殺菌灯を浸漬させて紫外線を照射するように構成されているので、紫外線照射のために殺菌灯がガラス管などにより剥き出しとせねばならない。したがって、水リザーバの蓋を開閉して保守・点検を行う際に殺菌灯を破損してしまう虞があり、また、水リザーバ，蓋，水リザーバ内の水位に応じて上下動するフロートなどの材料を紫外線により劣化しないものとせねばならない点で改良すべき課題を有する。
【０００５】
本発明は上記の点に鑑みなされたものであり、その目的は前記課題を解決し、水リザーバに貯留された水を流水させるとともに紫外線照射により簡単に殺菌することが可能なカップ式自動販売機を提供することにある。
【課題を解決するための手段】
【０００６】
上記目的を達成するために請求項１に係る発明は、水道から供給された水を貯留する水リザーバと、この水リザーバにパイプを介して連繋されて水リザーバから水が供給されるオーガ式製氷機および前記水リザーバから水ポンプを介して水が供給される貯湯タンクを備え、前記貯湯タンクから給湯バルブを介して供給される温水或いは水リザーバから水ポンプを介して供給される水により飲料を調整して販売に供するカップ式自動販売機であって、水リザーバに貯留された水を水ポンプにより循環させる循環水回路を設け、当該循環水回路に紫外線照射手段を配設したカップ式自動販売機において、前記紫外線照射手段は、循環水回路に接続される入口管と出口管を有する中空箱形の透明な合成樹脂からなる透明容器と、透明容器の外部に設置されて透明容器の内部を流れる水と絶縁された態様で配設され、紫外線ＬＥＤが実装されたプリント基板と、透明容器の入口管と出口管とが外部に露出する態様で透明容器およびプリント基板を内蔵し、かつ、紫外線ＬＥＤからの紫外線の漏れを防止する収納ボックスからなる紫外線照射装置であることを特徴とする。
【発明の効果】
【００１０】
本発明の請求項１に係るカップ式自動販売機によれば、水道から供給された水を貯留する水リザーバ、この水リザーバにパイプを介して連繋されて水リザーバから水が供給されるオーガ式製氷機、前記水リザーバから水ポンプを介して水が供給される貯湯タンクなどを備え、前記貯湯タンクから給湯バルブを介して供給される温水或いは水リザーバから水ポンプを介して供給される水により飲料を調整して販売に供するカップ式自動販売機であって、水リザーバに貯留された水を水ポンプにより循環させる循環水回路を設け、当該循環水回路に紫外線照射手段を配設したカップ式自動販売機において、前記紫外線照射手段は、循環水回路に接続される入口管と出口管を有する中空箱形の透明な合成樹脂からなる透明容器と、透明容器の外部に設置されて透明容器の内部を流れる水と絶縁された態様で配設され、紫外線ＬＥＤが実装されたプリント基板と、透明容器の入口管と出口管とが外部に露出する態様で透明容器およびプリント基板を内蔵し、かつ、紫外線ＬＥＤからの紫外線の漏れを防止する収納ボックスからなる紫外線照射装置であることにより、水リザーバ内に貯留された水を水ポンプにより循環させるとともに循環水回路に配設した紫外線照射手段により循環途中の水に紫外線を照射して殺菌することができ、さらに、水リザーバ内に貯留された水を静水状態にすることなく流水させることができるので雑菌の増殖を抑制することが可能となるという効果を奏する。
【図面の簡単な説明】
【００１４】
【図１】本発明の実施の形態１に係るカップ式自動販売機の模式図である。
【図２】本発明の実施の形態２に係るカップ式自動販売機の模式図である。
【図３】本発明の実施の形態３に係るカップ式自動販売機の模式図である。
【発明を実施するための形態】
【００１５】
以下、本発明の実施の形態に係るカップ式自動販売機を図面に基づいて詳細に説明する。
【００１６】
図１は、本発明の実施形態１に係るカップ式自動販売機１００の模式図である。ここで、図１に示すカップ式自動販売機１００は、飲料調理位置まで移送される途中においてカップＣ内に供給された各種粉末原料（例えば、クリーム、コーヒー、砂糖など）原料、若しくは焙煎されたコーヒー豆から抽出されるとともに飲料調理位置に移送されたカップ内に供給されらレギュラーコーヒー飲料と、飲料調理位置においてカップ内に吐出される温水若しくは水とを攪拌混合して飲料を調整するカップ内ミキシング方式のカップ式自動販売機であるが、これに限られるものではない。
【００１７】
図１に示したカップ式自動販売機１００は、前面が開口した自動販売機本体（不図示）内に収容された水リザーバ１、オーガ式製氷機２、貯湯タンク３、コーヒー豆キャニスター４、粉末原料キャニスター５、カップ供給機構６、カップ搬送機構７、飲料攪拌装置８、パウダートレイ９、廃液バケツ１０などを備え、自動販売機本体の前面開口に開閉自在に取付けられた扉（不図示）には、自動開閉扉を有する取出口１１を備えており、これらの構成は従来から公知のものである。この従来の構成に加えて、本発明の実施の形態１に係るカップ式自動販売機においては、水リザーバ１に貯留された水を循環させる閉回路からなり、水ポンプＰＭＰ０と紫外線照射装置１１０とが配設された循環水回路１０１が設けられている。
【００１８】
前記水リザーバ１は、給水バルブＶ１の開閉により水道管から供給された水を貯留するものであり、貯留した水位に応じて上下動するフロートに連動して水位を検出する給水センサＳ１と異常検出センサＳ２が設けられている。給水センサＳ１は、水リザーバ１に貯留された水の上限水位を検出するマイクロスイッチからなり、水リザーバ１に貯留された水位の上昇によりマイクロスイッチのアクチュエータがばねの付勢力に抗して回動してスイッチを押圧するとオン信号を出力し、水リザーバ１に貯留された水位の低下によりマイクロスイッチのアクチュエータがばねの付勢力により回動してスイッチから離隔するとオフ信号を出力するものである。異常検出センサＳ２は、水リザーバ１に貯留された水の下限水位（異常）を検出するマイクロスイッチからなり、水リザーバ１に貯留された水位が下限水位まで低下するとマイクロスイッチのアクチュエータがばねの付勢力に抗して回動してスイッチを押圧するとオン信号を出力し、水リザーバ１に貯留された水位が下限水位よりも上昇するとマイクロスイッチのアクチュエータがばねの付勢力により回動してスイッチから離隔するとオフ信号を出力するものである。前記給水バルブＶ１は、給水センサＳ１のオン・オフ信号に基づいてバルブの開閉が制御されるように構成され、給水センサＳ１からオフ信号によりバルブを開いて給水を開始し、給水センサＳ１のオン信号によりバルブを閉じて給水を停止する。このような給水バルブＶ１の開閉動作によって水リザーバ１に貯留される水が上限水位であって所定の範囲の水位に保たれる。なお、異常検出センサＳ２は、断水などにより水リザーバ１に貯留された水が下限水位（異常）となった場合にオン信号を出力するものであり、このオン信号に基づいて後述するオーガ式製氷機２を強制的に停止させる。水リザーバ１の容量は、カップ式自動販売機１００の仕様に応じて異なるが（例えば、５００ｍｌ〜２Ｌ程度）、この実施の形態では１Ｌの温水を貯留可能に構成される。
【００１９】
前記オーガ式製氷機２は、水リザーバ１よりパイプＰ１を介して供給された水から氷片を製氷する断熱構造の製氷部２１と、製氷された氷片を簀の子上に貯氷する断熱構造の貯氷部２２とから構成されている。
【００２０】
製氷部２１は、円筒状の製氷筒の外周面に巻装された冷凍サイクルを構成する蒸発パイプにより製氷筒内壁面に着氷させる一方、製氷筒内に配設され、かつ、減速機を介して連結された駆動モータにより回転するオーガ（スクリュー状の回転式切削刃）により製氷筒内壁面に着氷した氷をフレーク状に切削して押し上げるとともにオーガの上方に設けられた氷圧縮用の押出しヘッドにより圧縮して固形化したうえで押出しヘッドの先端部で切断してチップ状の氷片を形成するように構成され、製氷筒に巻回された蒸発パイプの周囲を断熱材で包囲することにより断熱構造として形成されている。
【００２１】
製氷部２１の上部に配設された貯氷部２２は、製氷部２１で形成された氷片を貯氷する断面円形状の断熱壁で形成されるとともに底部に氷片載置用の簀の子が敷設された貯氷室を備え、貯氷室内部に配設されるとともにオーガと同軸の回転軸の軸上に取り付けられた氷片攪拌用のアジテータにより氷片を攪拌して氷片同士が固着して大きな氷塊となるのを防止するように構成されている。貯氷室の底部には溶けた水を排水する排水口が設けられ、この排水口からパイプＰ２を介して溶けた水が製氷筒２１下部に導入されるとともにパイプＰ１およびパイプＰ２がパイプＰ３を介して水ポンプＰＭＰ１に接続されている。そして、貯氷室の側壁には氷片投出口（不図示）が形成され、この氷片投出口を開閉する氷搬出扉２３を備えている。前記氷搬出扉２３は、販売動作に連係して制御装置（不図示）から出力される氷片搬出指令により駆動されるソレノイドにより開閉制御され、前記ソレノイドが駆動されて氷搬出扉２３が開放すると、アジテータで攪拌されている氷片がホースＨを介して飲料調理位置に移送されたカップＣに供給されるように構成されている。なお、貯氷室内には貯氷量の変位に応じて上下動する氷量検出ディスクが設けられ、貯氷量が減少して氷量検出ディスクが貯氷量下限位置にまで下降すると製氷開始信号を出力する製氷開始スイッチと、製氷動作が進んで氷量検出ディスクが貯氷量上限位置まで押し上げられると製氷停止信号を出力する製氷停止スイッチとが設けられているものである。
【００２２】
前記オーガ式製氷機２は、製氷機自身では水位調節機能を有していない一方、良質の氷片を製氷するには製氷筒２１内の水位を適切な上限水位と下限水位の範囲内に保つ必要があるため、製氷筒２１内の水位が水リザーバ１の水位と同一となるように、販売機本体内に水リザーバ１に横並びに設置されるものである。
【００２３】
前記貯湯タンク３は、水ポンプＰＭＰ２の駆動により水リザーバ１からパイプＰ４を介して供給された水を内部に設けた温度センサＳ５の出力に基づいてヒータ３１に通電することによって所望の温度、例えば、９４〜９７℃に加熱して貯留するものであり、貯留した水位に応じて上下動するフロートに連動して水位を検出する給水開始センサＳ３と給水停止センサＳ４が設けられている。給水開始センサＳ３は、貯湯タンク３に貯留された温水の下限水位を検出するものである一方、給水停止センサＳ４は、貯湯タンク３に貯留された温水の上限水位を検出するものである。この給水開始センサＳ３および給水停止センサＳ４からのオン・オフ信号に基づいて水ポンプＰＭＰ２の駆動が制御され、水ポンプＰＭＰ２は、給水開始センサＳ３のオン信号により駆動されて給水を開始し、給水停止センサＳ４のオン信号により駆動が停止されて給水を停止する。このような水ポンプＰＭＰ２の駆動制御によって貯湯タンク３に貯留され温水が所定の範囲の水位に保たれる。また、貯湯タンク３に貯留された温水は、飲料調整時に給湯バルブＶ２，Ｖ３を介して定量、例えば、１５０ｍｌずつ吐出される。貯湯タンク３の容量は、カップ式自動販売機１００の仕様に応じて異なるが（例えば、５００ｍｌ〜１０Ｌ程度）、この実施の形態では３Ｌの温水を貯留可能に構成される。
【００２４】
前記コーヒー豆キャニスター４は、レギュラーコーヒーの原料となる焙煎されたコーヒー豆を貯蔵するものである。このコーヒー豆キャニスター４から払い出されたコーヒー豆がシュータ（不図示）を介して投入されるコーヒーミル１２は、投入されたコーヒー豆を粉砕刃で所定の粒度の粉末状のコーヒー挽き豆に粉砕するものである。
【００２５】
前記コーヒーミル１２で粉砕されたコーヒー挽き豆が投入されるコーヒーブリュア１３は、円筒形状の抽出容器，ペーパーフィルタ，フィルタブロックおよび抽出容器の上端開口を開閉するバルブ機構を備え、前記抽出容器の上下にはその内部に空気を供給するための空気導入口がそれぞれ設けられたものである。このコーヒーブリュア１３でコーヒー液を抽出するには、先ず、抽出容器を下降させてその下端開口にペーパーフィルタを介してフィルタブロックを装着した後、バルブ機構で抽出容器の上端開口を開放させた状態で、抽出容器の上端開口からコーヒー挽き豆を投入するとともに貯湯タンク３の給湯バルブＶ２を開いてパイプＰ５を介して所定量の温水を供給し、次いで、バルブ機構により抽出容器の上端開口を閉鎖したうえで抽出容器の下部空気導入口から空気を供給してコーヒー挽き豆と温水との混合液を攪拌するとペーパーフィルタで濾過されたコーヒー成分を含むコーヒー液が抽出され、抽出されたコーヒー液を、パイプＰ７を介して飲料調理位置に移送されたカップＣ内に注出するものである。なお、販売機本体内には滓バケツ（不図示）が設けられ、コーヒー滓やペーパーフィルタが廃棄されるように構成されている。
【００２６】
前記粉末原料キャニスター５は、粉末のコーヒー原料を貯蔵するコーヒーキャニスター５１、粉末のクリーム原料を貯蔵するクリームキャニスター５２、粉末の砂糖原料を貯蔵する砂糖キャニスター５３からなる。この粉末原料キャニスター５は、飲料販売時に利用者の好みに応じて選択されることによりそれぞれのキャニスター５１〜５３から粉末原料を払い出し、後述するカップ搬送機構７により移送されるカップＣ内に投出するものである。
【００２７】
前記カップ供給機構６は、容量の異なる種類（例えば、大、中、小の３種類）のカップを種類別に多数積み重ねて収容し、飲料販売時に利用者の選択に応じた容量のカップを次に示すカップ搬送機構７に投出するものである。
【００２８】
前記カップ搬送機構７は、カップ供給機構６から投出されたカップを把持するアームを備えるとともにアームに把持されたカップを粉末原料キャニスター５，飲料攪拌装置８が配置された飲料調理位置を経由して販売口１１のベンドステージまで移送するものであり、粉末原料キャニスター５，飲料攪拌装置８が配置された飲料調理位置では一旦停止するように構成されている。
【００２９】
飲料調理位置に配置された飲料攪拌装置８は、昇降モータを有する昇降機構によりカップＣ内に入り込むように下降およびカップＣ内からカップの外に出るように上昇するとともに攪拌モータにより回転駆動される回転軸８１を有する攪拌羽根８２を備えている。飲料攪拌装置８は、カップ搬送機構７により飲料調理位置までカップＣが移送された際に昇降モータを駆動させて攪拌羽根８２をカップＣ内に下降させる一方、前記水リザーバ１から水ポンプＰＭＰ１を介して供給される水若しくは前記貯湯タンク３から給湯バルブＶ３を介して供給される温水が回転軸８１に吐出されると攪拌モータの駆動により攪拌羽根８２を回転させてカップＣ内の飲料を攪拌するものである。
【００３０】
前記パウダートレイ９は、粉末原料やコーヒー飲料など液体が販売機本体の下部に落下するのを防止する合成樹脂の成型品になる。このパウダートレイ９は、上面が開口した浅底のトレイ本体部９１と、このトレイ本体部９１に連なるカップ収容部９２からなり、トレイ本体部９１の周縁部を販売機本体内の所定位置に掛け止めやねじ止めによって取り付けられている。トレイ本体部９１は、平面形状がカップ搬送機構７により移送されるカップＣの移送範囲の面積よりも一回り大きく形成され、底面がカップ収容部９２に向かって傾斜するように形成されている。カップ収容部９２は、下方に向けて所定の深さを有する凹状に形成され、その底部には液体を排出するための廃液口９２ａが設けられている。カップ収容部９２は、飲料販売時に取出口１１から取り出されずにベンドステージに放置されたカップＣをパウダートレイ９１上に落下（廃棄）させて販売機会を逸することがないようにするため、ベンドステージから廃棄される廃棄物であるカップＣおよび液体を収容するものであり、また、飲料調理位置から零れ落ちる液体をも収容するものである。ベンドステージに放置されたカップＣの廃棄については詳細な説明は省略するが、カップ搬送機構７を利用してベンドステージに放置されたカップＣをベンドステージから脱離させてパウダートレイ９１上に落下させるように構成されているものである。なお、廃液口９２ａは、廃液チューブ９２ｂを介して廃液バケツ１０に接続されており、カップ収容部９２内に流入した液体を廃液口９２ａおよび廃液チューブ９２ｂを介して廃液バケツ１０に回収する。
【００３１】
さて、本発明では前述した構成に加えて、水リザーバ１に貯留された水を紫外線により殺菌する次の循環水回路が追加装備されている。すなわち、水リザーバ１には、水リザーバ１に貯留された水を循環させる閉回路からなる循環水回路１０１が設けられ、この循環水回路１０１に水ポンプＰＭＰ０と紫外線照射装置１１０が配設されている。この実施の形態１に係るカップ式自動販売機１００においては、循環水回路１０１が水リザーバ１に貯留された水を直接循環させる態様で形成されている。図１では循環水回路１０１を太線で示している。
【００３２】
前記水ポンプＰＭＰ０は、水リザーバ１内に貯留された水を白抜き矢印の方向に循環させるものである。紫外線照射装置１１０は、循環水回路１０１を流れる水に紫外線を照射して殺菌するものである。この紫外線照射装置１１０は、循環水回路１０１に接続される入口管と出口管を有する中空箱形の透明な合成樹脂からなる透明容器と、プリント基板に実装された紫外線光源（紫外線ＬＥＤ）、紫外線光源（紫外線ＬＥＤ）からの紫外線を拡散するレンズなどからなる。前記紫外線光源（紫外線ＬＥＤ）が実装されたプリント基板およびレンズは透明容器の外部に設置されて透明容器の内部を流れる水と絶縁された態様で配設されている。前記紫外線光源（紫外線ＬＥＤ）が実装されたプリント基板、レンズ、透明容器は、紫外線が外部に漏れないように閉塞されたボックス内に収納されている。この場合、透明容器の入口管と出口管は収納ボックスから外部に露出するように構成されている。そして、収納ボックスから外部に露出した透明容器の入口管と出口管とが循環水回路１０１に直列に接続される。前記紫外線照射装置１１０が紫外線照射手段を構成する。なお、収納ボックスは、紫外線により劣化することのない合成樹脂により形成することができ、さらに、ボックス内部に紫外線の透過を防止するコーティングを施せば紫外線による劣化を抑制することが可能となる。
【００３３】
係る構成のカップ式自動販売機１００は、当該カップ式自動販売機１００を統括的に制御する制御装置（不図示）の記憶部に格納された飲料販売制御プログラムおよび紫外線殺菌制御プログラムにより飲料販売制御および紫外線殺菌制御が行われるが、飲料販売制御については従来と同一であるのでその説明は省略する。
【００３４】
前記紫外線殺菌制御プログラムは、２４時間タイマーにより定期的（例えば、６時、１２時、１８時、２４時）に起動され、水ポンプＰＭＰ０および紫外線光源（紫外線ＬＥＤ）を所定時間駆動するものである。ここで、水ポンプＰＭＰ０および紫外線光源（紫外線ＬＥＤ）の駆動時間は、水ポンプＰＭＰ０の仕様（流量）と水リザーバ１に満杯に貯留可能な水の貯留容量（満杯）とにより水リザーバ１に貯留された水を少なくとも１回だけ循環させることができるように定められ、例えば、水リザーバ１の貯留容量が「１Ｌ」、水ポンプＰＭＰ０の流量が毎分１／２Ｌの場合には、水ポンプＰＭＰ０および紫外線光源（紫外線ＬＥＤ）の駆動時間を少なくとも２分と定められる。このように、水ポンプＰＭＰ０を駆動して水リザーバ１内に貯留された水を循環させるとともに紫外線光源（紫外線ＬＥＤ）を水ポンプＰＭＰ０と同時に駆動することにより、循環途中の水に紫外線を照射して殺菌することができ、また、水リザーバ１内に貯留された水を流動させることによって静水状態の場合に増殖し易い雑菌の繁殖をも防止することができる。この実施の形態１における循環水回路１０１においては、紫外線殺菌制御プログラムの起動中に飲料販売制御プログラムが実行された場合にも紫外線殺菌制御と飲料販売制御を並行して行うことができるものである。
【００３５】
図２は、本発明の実施の形態２に係るカップ式自動販売機の模式図であり、実施の形態１に係るカップ式自動販売機と同一のものには同一の符号を付してその説明を省略する。
【００３６】
図２に示した実施の形態２に係るカップ式自動販売機１００Ａが実施の形態１に係るカップ式自動販売機１００と相違する点は、実施の形態１の循環水回路１０１が水リザーバ１に貯留された水を直接循環させる態様で形成されるとともに水ポンプＰＭＰ０と紫外線照射装置１１０とを追加装備したものであるのに対し、実施の形態２の循環水回路１０１Ａが、水リザーバ１に貯留された水をカップＣに供給する水ポンプＰＭＰ１を含む態様の閉回路として形成されている点である。すなわち、実施の形態２における循環水回路１０１Ａは、水リザーバ１から水ポンプＰＭＰ１に至る回路（パイプＰ１，Ｐ３）、水ポンプＰＭＰ１からカップＣに至る回路に挿入された三方電磁弁１０２、三方電磁弁１０２から水リザーバ１に戻る回路（パイプＰ８）とからなり、パイプＰ８の途中に紫外線照射装置１１０を配設したものである。
【００３７】
このように、この実施の形態２に係るカップ式自動販売機１００Ａにおいては、コールド飲料を調整するために水リザーバ１に貯留された水をカップＣに供給する水ポンプＰＭＰ１を、水リザーバ１に貯留された水を循環させる循環水回路１０１Ａのポンプとして兼用している。なお、三方電磁弁１０２は、無通電状態（電磁弁のオフ状態）で水ポンプＰＭＰ１からカップＣに至る回路を連通し、通電状態（電磁弁のオン状態）で水ポンプＰＭＰ１からパイプＰ８に至る回路を連通するように構成されているものである。これにより、飲料販売制御プログラムに手を加えることなく飲料販売制御を実行することができる。
【００３８】
図２に示したカップ式自動販売機１００Ａにおける紫外線殺菌制御プログラムも、２４時間タイマーにより定期的（例えば、６時、１２時、１８時、２４時）に起動され、水ポンプＰＭＰ１および紫外線照射装置１１０の紫外線光源（紫外線ＬＥＤ）に加えて三方電磁弁１０２を所定時間駆動するものである。このように、循環水回路１０１Ａにより水リザーバ１に貯留された水を循環させ、その循環途中の水に紫外線照射装置１１０により紫外線を照射させることにより殺菌することができ、また、水リザーバ１内に貯留された水を流動させることによって静水状態の場合に増殖し易い雑菌の繁殖をも防止することができる。また、循環水回路１０１Ａにより水リザーバ１に貯留された水を循環させる場合、水ポンプＰＭＰ１が駆動されると水リザーバ１とオーガ式製氷機２とを連繋するパイプＰ２内に貯留する水も循環して殺菌されるので、水リザーバ１とオーガ式製氷機２とを連繋するパイプＰ２内の衛生状態を維持することか可能となるものである。なお、この実施の形態２に係るカップ式自動販売機１００Ａにおいては、紫外線殺菌制御プログラムの起動中に飲料販売制御プログラム（コールド飲料の販売）が実行された場合には、紫外線殺菌制御プログラムを中断して販売制御プログラムを優先させ、販売制御プログラムによる販売動作が終了した時点で紫外線殺菌制御プログラムを再起動させるように構成して飲料販売制御に影響を及ぼすことがないようにされている。
【００３９】
図３は、本発明の実施の形態３に係るカップ式自動販売機の模式図であり、実施の形態１に係るカップ式自動販売機と同一のものには同一の符号を付してその説明を省略する。
【００４０】
図３に示した実施の形態３に係るカップ式自動販売機１００Ｂが実施の形態１に係るカップ式自動販売機１００と相違する点は、実施の形態１の循環水回路１０１が水リザーバ１に貯留された水を直接循環させる態様で形成されるとともに水ポンプＰＭＰ０と紫外線照射装置１１０とを追加装備したものであるのに対し、実施の形態３の循環水回路１０１Ｂが、水リザーバ１に貯留された水を貯湯タンク３に供給する水ポンプＰＭＰ２を含む態様の閉回路として形成されている点である。すなわち、実施の形態３における循環水回路１０１Ｂは、水リザーバ１から水ポンプＰＭＰ２に至る回路、水ポンプＰＭＰ２から貯湯タンク３に至る回路に挿入された三方電磁弁１０３、三方電磁弁１０３から水リザーバ１に戻る回路（パイプＰ９）とからなり、パイプＰ９の途中に紫外線照射装置１１０を配設したものである。
【００４１】
このように、この実施の形態３に係るカップ式自動販売機１００Ｂにおいては、ホット飲料を調整するために水リザーバ１に貯留された水を貯湯タンク３に供給する水ポンプＰＭＰ２を、水リザーバ１に貯留された水を循環させる循環水回路１０１Ｂのポンプとして兼用している。なお、三方電磁弁１０３は、無通電状態（電磁弁のオフ状態）で水ポンプＰＭＰ２から貯湯タンク３に至る回路を連通し、通電状態（電磁弁のオン状態）で水ポンプＰＭＰ２からパイプＰ９に至る回路を連通するように構成されているものである。これにより、飲料販売制御プログラムに手を加えることなく飲料販売制御を実行することができる。
【００４２】
図３に示したカップ式自動販売機１００Ｂにおける紫外線殺菌制御プログラムも、２４時間タイマーにより定期的（例えば、６時、１２時、１８時、２４時）に起動され、水ポンプＰＭＰ２および紫外線照射装置１１０の紫外線光源（紫外線ＬＥＤ）に加えて三方電磁弁１０３を所定時間駆動するものである。このように、循環水回路１０１Ｂにより水リザーバ１に貯留された水を循環させ、その循環途中の水に紫外線照射装置１１０により紫外線を照射させることにより殺菌することができ、また、水リザーバ１内に貯留された水を流動させることによって静水状態の場合に増殖し易い雑菌の繁殖をも防止することができる。また、循環水回路１０１Ｂにより水リザーバ１に貯留された水を循環させる場合、水ポンプＰＭＰ２が駆動されると水リザーバ１と水ポンプＰＭＰ２とを連繋するパイプ内に貯留する水も循環して殺菌されるので、水リザーバ１と水ポンプＰＭＰ２とを連繋するパイプ内の衛生状態を維持することか可能となるものである。なお、この実施の形態３に係るカップ式自動販売機においては、紫外線殺菌制御プログラムの起動中に飲料販売制御プログラム（ホット飲料の販売）が実行された場合には、紫外線殺菌制御プログラムを中断して販売制御プログラムを優先させ、販売制御プログラムによる販売動作が終了した時点で紫外線殺菌制御プログラムを再起動させるように構成して飲料販売制御に影響を及ぼすことがないようにされている。
【００４３】
以上に説明したように、この実施の形態に係るカップ式自動販売機（１００，１００Ａ，１００Ｂ）においては、水道から供給された水を貯留する水リザーバ１、この水リザー１バにパイプＰ１を介して連繋されて水リザーバ１から水が供給されるオーガ式製氷機２、前記水リザーバ１から水ポンプＰＭＰ２を介して水が供給される貯湯タンク３などを備え、前記貯湯タンク３から給湯バルブＶ２，Ｖ３を介して供給される温水或いは水リザーバ１から水ポンプＰＭＰ１を介して供給される水により飲料を調整して販売に供するカップ式自動販売機１００であって、水リザーバ１に貯留された水を水ポンプ（ＰＭＰ０，ＰＭＰ１，ＰＭＰ２）により循環させる循環水回路（１０１，１０１Ａ，１０１Ｂ）を設け、当該循環水回路（１０１，１０１Ａ，１０１Ｂ）に紫外線照射手段（紫外線照射装置１１０）を配設したカップ式自動販売機１００において、前記紫外線照射手段は、循環水回路（１０１，１０１Ａ，１０１Ｂ）に接続される入口管と出口管を有する中空箱形の透明な合成樹脂からなる透明容器と、透明容器の外部に設置されて透明容器の内部を流れる水と絶縁された態様で配設され、紫外線ＬＥＤが実装されたプリント基板と、透明容器の入口管と出口管とが外部に露出する態様で透明容器およびプリント基板を内蔵し、かつ、紫外線ＬＥＤからの紫外線の漏れを防止する収納ボックスからなる紫外線照射装置１１０であることにより、水リザーバ１内に貯留された水を水ポンプ（ＰＭＰ０，ＰＭＰ１，ＰＭＰ２）により循環させるとともに循環水回路（１０１，１０１Ａ，１０１Ｂ）に配設した紫外線照射手段（紫外線照射装置１１０）により循環途中の水に紫外線を照射して殺菌することができ、さらに、水リザーバ１内に貯留された水を静水状態にすることなく流水させることができるので雑菌の増殖を抑制することが可能となるという効果を奏する。
【００４４】
なお、前記各実施の形態の係るカップ式自動販売機では、カップＣ内で飲料を攪拌するカップ内ミキシング方式のカップ式自動販売機について述べたが、図示しないミキシングボウルを用い、このミキシングボウル内で粉末原料であるコーヒー、クリーム、砂糖等と貯湯タンクから給湯バルブを介して供給される温水とを攪拌・混合して所望の飲料を調整するものにも適用することができるものである。また、前記実施の形態の係るカップ式自動販売機では、コールド飲料を調整するために水リザーバ１に貯留された水を水ポンプＰＭＰ１によりカップＣに供給するものについて述べたが、コールド飲料の調整を、貯湯タンク３に貯留された温水により調整（給湯バルブＶ２，Ｖ３を駆動する時間を、ホット飲料を調整する際よりも短くして少量の温水により調整した後、オーガ式製氷機２から氷片をカップＣに供給してコールド飲料として調整）することもできるものである。したがって、本発明は実施の形態のカップ式自動販売機に限られるものではない。
【符号の説明】
【００４５】
１…水リザーバ、２…オーガ式製氷機、３…貯湯タンク、１００，１００Ａ，１００Ｂ…カップ式自動販売機、１０１，１０１Ａ，１０１Ｂ…循環水回路、１０２，１０３…三方電磁弁、１１０…紫外線照射装置（紫外線照射手段）、ＰＭＰ０，ＰＭＰ１，ＰＭＰ２…水ポンプ、Ｖ１…給水バルブ、Ｃ…カップ。
【図１】
0006645156.tif 000002
【図２】
0006645156.tif 000003
【図３】
0006645156.tif 000004